(57)【要約】【課題】エッジライトの光を照明として使用可能な液晶表示装置を提供する。【解決手段】図１（３）（ａ）に示すように、エッジライト１３０は、光源１３１と、光源１３１を覆うシールド１３２と、カバー１３３とから構成され、導光板１４０に隣接するように導光板１４０の両端に配置されている。シールド１３２は光を遮断する遮光壁であり、導光板１４０側のみが開口されている。シールド１３２の開口部分には、ガラスなどの導光素材のカバー１３３が取り付けられている。また、エッジライト１３０は、長手方向を軸として回転可能に取り付けられ、エッジライト１３０の光の方向が所望方向に向けられた状態で図１（３）（ｂ）に示すように半固定係止できるようになっている。エッジライト１３０を照明として使用するときは、図１に示すキャビネット１２０を上矢印方向（Ｕ）と下矢印方向（Ｄ）にスライドさせ、エッジライト１３０を回転させる。【選択図】図１
2011181205.tif 000002
【特許請求の範囲】
【請求項１】
導光体の端に液晶パネルを照射するエッジライトが配置されている液晶表示装置において、
前記エッジライトを回転するエッジライト回転手段とを備え、
前記エッジライト回転手段により前記エッジライトを正面側に回転させて、前記エッジライトの光を照明として使用することを特徴とする液晶表示装置。
【請求項２】
前記エッジライトは、断面の一方向に開口されたシールドで覆われていることを特徴とする請求項１に記載の液晶表示装置。
【請求項３】
前記シールドが開口されている部分に光を透すカバーが取り付けられていることを特徴とする請求項１または請求項２に記載の液晶表示装置。
【請求項４】
前記エッジライトの正面側はキャビネットが配置され、前記エッジライトの光を照明として使用するときに、前記キャビネットが移動できる構造であることを特徴とする請求項１から請求項３のいずれか１項に記載の液晶表示装置。
【請求項５】
前記エッジライトは、前記導光体の上下両端、左右両端、又は片端に配置されていることを特徴とする請求項１から請求項４のいずれか１項に記載の液晶表示装置。
【請求項６】
前記導光体の上下又は左右両端に配置されている前記エッジライトは、各々自由に回転角度が調整できることを特徴とする請求項５に記載の液晶表示装置。
【請求項７】
前記エッジライトは、前記エッジライトの光をバックライトとして使用しているときには前記エッジライトが回転できないように前記エッジライト回転手段をロックし、前記エッジライトが回転され照明として使用しているときには前記液晶パネルに映像を表示する装置が起動されないようにすることを特徴とする請求項１から請求項６のいずれか１項に記載の液晶表示装置。
【請求項８】
前記エッジライトの光は、ＣＣＦＬまたはＬＥＤから発せられていることを特徴とする請求項１から請求項７のいずれか１項に記載の液晶表示装置。
【請求項９】
該液晶表示装置は天井に取り付けられる構造となっていることを特徴とする請求項１から請求項８のいずれか１項に記載の液晶表示装置。
【発明の詳細な説明】
【技術分野】
【０００１】
本発明は、液晶表示装置に係り、特にエッジライト方式におけるエッジライトの光が照明として使用される液晶表示装置に関する。
【背景技術】
【０００２】
液晶表示装置のここでいうエッジライト方式とは、導光体の両端に配置された、エッジライトの光が液晶パネルの背面に配置された導光板に照射され、拡散されることで、液晶パネルの全面を一様に照射するバックライト方式を意味している。例えば、図３（１）に示すような液晶表示装置２００は、液晶パネル２１０の上下両端にエッジライト２３０を収納するキャビネット２２０が配置されている。また、図３（１）のＡ−Ａ断面図を図３（２）に示す。図３（２）に示すように、液晶パネル２１０の背面側に導光体である導光板２４０が配置されている。また、液晶パネル２１０と導光板２４０の間に、拡散シート２５０が配置されている。そして、導光板２４０の上下両端に、液晶表示装置２００のエッジライト２３０がキャビネット２２０に収納され配置されている。キャビネット２２０に収納されているエッジライト２３０の構造を図３（３）に示す。図３（３）に示すように、エッジライト２３０は、光源２３１と、光源２３１を覆うシールド２３２から構成され、導光板２４０に隣接するように配置されている。光源２３１は、ＣＣＦＬ（Cold Cathode Fluorescent Lamp）またはＬＥＤ（Light Emitting Diode）などの発光体である。シールド２３２は、光を遮断する遮光壁であり、導光板２４０側のみが開口されている。
【０００３】
このような構造のエッジライト方式の液晶表示装置２００において、エッジライト２３０の光源２３１から発せられた光は、シールド２３２の開口部分から導光板２４０に照射されると、導光板２４０で拡散されて拡散シート２５０の方向に照射される。導光板２４０から拡散シート２５０に入った光は、拡散シート２５０によって更に拡散される。そして、拡散シート２５０によって拡散された光が液晶パネル２１０に照射されることで、ユーザは液晶パネル２１０に表示される映像を視認することが可能となる。このようなエッジライト方式の液晶表示装置２００において、エッジライト２３０の光を液晶パネル２１０に照射するだけでなく、液晶パネル２１０の他にも照射することがある。
【０００４】
エッジライト方式の液晶表示装置において、液晶パネルのバックライトの他に照明としても使用する技術として特開２００８−５８４７１号公報（特許文献１）を挙げることができる。特許文献１に開示の技術では、エッジライトを液晶パネルのバックライトとしてのみ使用する場合は、エッジライトの全光を主導光板に照射する。また、エッジライトを主導光板を通して液晶パネルに照射することで液晶パネルのバックライトとして使用するとともに、エッジライトの光を分離し、一部は筐体に設けた開口部から被写体に照射して照明用のビデオライトとしても使用している。
【先行技術文献】
【特許文献】
【０００５】
【特許文献１】特開２００８−５８４７１号公報
【発明の概要】
【発明が解決しようとする課題】
【０００６】
上記のように、特許文献１に開示の技術における液晶表示装置は、エッジライトをビデオライトとしても使用する場合は、エッジライトの光を分離して一部をビデオライトとして使用し、残りを液晶パネルのバックライトに使用している。このため、エッジライトの光を全てビデオライトとして使用できないので、ビデオライトとして充分な照明が得られなかった。また、エッジライトの光を全て液晶パネルのバックライトとして使用できないので、バックライトとしても充分な照明が得られなかった。
【０００７】
本発明はこのような状況に鑑みてなされたものであり、上記課題を解決できる液晶表示装置を提供することを目的とする。
【課題を解決するための手段】
【０００８】
本発明の液晶表示装置は、導光体の端に液晶パネルを照射するエッジライトが配置されている液晶表示装置において、前記エッジライトを回転するエッジライト回転手段とを備え、前記エッジライト回転手段により前記エッジライトを正面側に回転させて、前記エッジライトの光を照明として使用することを特徴としている。
また、液晶表示装置の前記エッジライトは、断面の一方向に開口されたシールドで覆われていることを特徴としている。
また、液晶表示装置は、前記シールドが開口されている部分に光を透すカバーが取り付けられていることを特徴としている。
また、液晶表示装置は、前記エッジライトの正面側はキャビネットが配置され、前記エッジライトの光を照明として使用するときに、前記キャビネットが移動できる構造であることを特徴としている。
また、液晶表示装置の前記エッジライトは、前記導光体の上下両端、左右両端、又は片端に配置されていることを特徴としている。
また、液晶表示装置の前記導光体の上下又は左右両端に配置されている前記エッジライトは、各々自由に回転角度が調整できることを特徴としている。
また、液晶表示装置の前記エッジライトは、前記エッジライトの光をバックライトとして使用しているときには前記エッジライトが回転できないように前記エッジライト回転手段をロックし、前記エッジライトが回転され照明として使用しているときには前記液晶パネルに映像を表示する装置が起動されないようにすることを特徴としている。
また、液晶表示装置の前記エッジライトの光は、ＣＣＦＬまたはＬＥＤから発せられていることを特徴としている。
また、該液晶表示装置は天井に取り付けられる構造となっていることを特徴としている。
【発明の効果】
【０００９】
本発明によれば、液晶表示装置に配置されるエッジライトの全ての光を照明として使用可能な液晶表示装置を提供することができる。
【図面の簡単な説明】
【００１０】
【図１】本発明の実施形態に係る液晶表示装置とエッジライトの構造を示す図である。
【図２】本発明の実施形態に係る机上照明として使用される液晶表示装置の態様を示す図である。
【図３】従来技術に係る液晶表示装置とエッジライトの構造を示す図である。
【発明を実施するための形態】
【００１１】
以下、本発明を実施するための形態（以下、「実施形態」という）を、図面を参照して説明する。
【００１２】
実施形態における液晶表示装置とエッジライトの構造について説明する。図１（１）に示すように液晶表示装置１００は、液晶パネル１１０と、液晶パネル１１０の上下両端にエッジライト１３０が収納されたキャビネット１２０とが配置されている。実施形態のキャビネット１２０は、上矢印方向（Ｕ）と下矢印方向（Ｄ）にスライドさせることが可能な構造である。キャビネット１２０を上矢印方向（Ｕ）と下矢印方向（Ｄ）にスライドさせると、キャビネット１２０に収納されているエッジライト１３０が現れる構造となっている。
【００１３】
図１（２）に、キャビネット１２０を上矢印方向（Ｕ）と下矢印方向（Ｄ）にスライドさせたときの図１（１）のＢ−Ｂ断面図を示す。図１（２）に示すように、液晶パネル１１０の背面側に導光体である導光板１４０が配置されている。更に、液晶パネル１１０と導光板１４０の間に、拡散シート１５０が配置されている。そして、導光板１４０の上下両端に、エッジライト１３０が配置されている。
【００１４】
エッジライト１３０の構造を図１（３）（ａ）に示す。図１（３）（ａ）に示すように、エッジライト１３０は、光源１３１と、光源１３１を覆うシールド１３２と、カバー１３３とから構成され、導光板１４０に隣接するように配置されている。光源１３１は、ＣＣＦＬ（Cold Cathode Fluorescent Lamp）またはＬＥＤ（Light Emitting Diode）などの発光体である。シールド１３２は、光を遮断する遮光壁であり、導光板１４０側のみが開口されている。また、シールド１３２の開口部分には、ガラスなどの導光素材から生成されたカバー１３３が取り付けられている。また、エッジライト１３０は、長手方向を軸として回転可能に取り付けられていて、軸端にはエッジライト１３０を手動で回転できるようにつまみが設けられ、エッジライト１３０の光の方向が所望方向に向けられた状態で半固定に係止できるようになっている。このように、エッジライト１３０は手動で回転できるようになっているため、エッジライト１３０の電源導線は、電源導線の抜け防止や電源導線のよじれなどによる断線防止のために、ストッパーなどにより回転がある範囲に限定できるようになっている。図１（３）（ｂ）に、エッジライト１３０を回転させたときのエッジライト１３０の構造を示す。
【００１５】
このような構造のエッジライト方式の液晶表示装置１００において、エッジライト１３０を図２に示す机上３００の照明として使用するときは、キャビネット１２０を上矢印方向（Ｕ）と下矢印方向（Ｄ）にスライドさせ、更にエッジライト１３０を軸端に設けられているつまみにより回転させ、所望方向に向けた状態で半固定係止させる。このような状態でエッジライト１３０の光源１３１から発せられた光は、シールド１３２の開口部分からカバー１３３を透過して図２に示すように机上３００を照らす照明として使用できる。
【００１６】
また、このような構造のエッジライト方式の液晶表示装置１００において、エッジライト１３０を液晶パネル１１０のバックライトとして使用するときは、エッジライト１３０のシールド１３２の開口部に取り付けたカバー１３３の面が導光板１４０の方向に向くように、エッジライト１３０を軸端に設けられているつまみにより回転させる。このような状態でエッジライト１３０の光源１３１から発せられた光は、シールド１３２の開口部分からカバー１３３を透過して導光板１４０に照射されると、導光板１４０で拡散されて拡散シート１５０の方向に照射される。導光板１４０から拡散シート１５０に入った光は、拡散シート１５０によって更に拡散される。そして、拡散シート１５０によって拡散された光が液晶パネル１１０に照射されることで、ユーザは液晶パネル１１０に表示される映像を視認することが可能となる。
【００１７】
以上、本実施形態によると、液晶表示装置１００のエッジライト１３０の光を全て照明として使用することができ、更にエッジライト１３０の光を全て液晶パネルのバックライトとして使用することができる。つまり、従来であれば、エッジライト１３０の光の一部を照明として使用し、残りを液晶パネル１１０のバックライトとして使用していた。この結果、充分な照明でないことがあり、更に液晶パネルのバックライトとしても充分でないことがあった。しかし、本実施形態は、エッジライト１３０の光を照明として使用するか、液晶パネルのバックライトとして使用するかを自由に選択することで、エッジライト１３０の全ての光を照明として使用可能な液晶表示装置１００を提供することができる。
【００１８】
なお、本実施形態では、シールド１３２の開口部分に、カバー１３３を取り付ける形態としたが、カバー１３３を取り付けない形態とすることも可能である。
【００１９】
また、本実施形態では、エッジライト１３０を導光板２４０の上下両端に配置する形態としたが、導光板２４０の左右両端に配置する形態とすることでもよい。また、エッジライト１３０を導光板２４０の両端に配置する形態ではなく、片方に配置する形態とすることも可能である。
【００２０】
また、本実施形態では、エッジライト１３０への電源導線を摺動させる方式とすることにより、エッジライト１３０の回転角度は限定せずに、自由に回転角度を調整できる形態とすることも可能である。更にエッジライト１３０を上下両端または左右両端に配置したときに、両端のエッジライト１３０の回転角度を同じにせずに、別々の回転角度とすることも可能である。
【００２１】
また、本実施形態では、エッジライト１３０を手動で回転できるようにしたが、パソコンやテレビなどに接続される液晶パネル１１０においては、パソコンやテレビなどの起動ボタンと連動させてエッジライト１３０の回転を制御することも可能である。例えば、パソコンの起動ボタンが押下されたときには、エッジライト１３０を回転させないようにロックすることで、パソコン起動中はエッジライト１３０の光は液晶パネル１１０のバックライトとしてのみ使用できる。また、エッジライト１３０が回転して照明として使用しているときは、パソコンの起動ボタンが押下されてもパソコンを起動できないようにロックすることで、エッジライト１３０の光は照明としてのみ使用できる。このようにパソコンやテレビなどの起動ボタンと連動させてエッジライト１３０の回転を制御することで、バックライトとして使用中のエッジライト１３０の不要な回転を防止し、またエッジライト１３０を回転したままの状態で液晶パネル１１０のバックライトとして使用してしまうなどの戻し忘れを防止することができる。
【００２２】
また、本実施形態では、上下両端のエッジライト１３０の光全てを液晶パネル１１０のバックライトとして使用するか照明として使用するかのどちらかとした。しかし、上端のエッジライト１３０の光を液晶パネル１１０のバックライトとして使用し、また下端のエッジライト１３０の光を机上３００の照明として使用することも可能である。このように使用することで、液晶パネル１１０に対して上端の方向から光を照射できるので、光を分離して一部を液晶パネル１１０に照射するのに比べて液晶パネル１１０の映像をより鮮明に表示させることができる。また、机上３００に対して下端の方向から光を照射できるので、光を分離して一部を机上３００に照射するのに比べて机上３００をより明るく照らすことができる。また、パソコン使用中に下端のエッジライト１３０のみを照明として使用することもできる。このようにすると、エッジライト１３０のみを使用することで、机上３００に置いた資料などを見ながらパソコン作業を容易に行うことができる。また、上端のエッジライト１３０は照明としては使用されないので、画面が上端のエッジライト１３０の光で見えにくくなることがない。
【００２３】
また、本実施形態では、エッジライト１３０の光を机上３００の照明として使用する形態としたが、これに限定されずビデオライト、カメラライト、又は間接照明などとして使用することが可能である。また、天井に液晶表示装置１００を取り付けて、部屋の照明として使用する形態とすることも可能である。
【００２４】
以上、本発明の実施形態をもとに説明した。この実施形態は例示であり、それらの各構成要素の組み合わせにいろいろな変形例が可能なこと、またそうした変形例も本発明の範囲にあることは当業者に理解されるところである。
【符号の説明】
【００２５】
１００・・・・・・・・液晶表示装置
１１０・・・・・・・・液晶パネル
１２０・・・・・・・・キャビネット
１３０・・・・・・・・エッジライト
１３１・・・・・・・・光源
１３２・・・・・・・・シールド
１３３・・・・・・・・カバー
１４０・・・・・・・・導光板
１５０・・・・・・・・拡散シート
２００・・・・・・・・液晶表示装置
２１０・・・・・・・・液晶パネル
２２０・・・・・・・・キャビネット
２３０・・・・・・・・エッジライト
２３１・・・・・・・・光源
２３２・・・・・・・・シールド
２４０・・・・・・・・導光板
２５０・・・・・・・・拡散シート
３００・・・・・・・・机上
【図１】
2011181205.tif 000003
【図２】
2011181205.tif 000004
【図３】
2011181205.tif 000005